(57)【特許請求の範囲】
【請求項１】
カセットが出し入れ可能に挿入されるハウジングのカセット挿入口に開閉可能に配設されるドア本体と、このドア本体の上端部に、ハウジング内に向けて突設され、その自重によってドア本体を閉める方向に付勢するリブと、このリブと前記ドア本体を枢支する枢軸部とを備えたカセットドア構造において、前記枢軸部は、枢支箇所から軸方向に対し略垂直方向に若干長く延設されていて、この延設部分の先端に前記リブと前記ドア本体とが取り付けられていることを特徴とするカセットドア構造。
【請求項２】
前記リブの少なくとも１つが略水平向きであることを特徴とする請求項１に記載のカセットドア構造。
【請求項３】
前記リブは、その長さ寸法が、ドア本体を全開したときに、ハウジングの天板の近傍箇所に位置する長さ寸法であることを特徴とする請求項１又は２に記載のカセットドア構造。
【発明の詳細な説明】
【０００１】
【発明の属する技術分野】
本発明は、カセットが出し入れ可能に挿入されるハウジングのカセット挿入口にドア本体が開閉可能に配設されるカセットドア構造に関する。
【０００２】
【従来の技術】
従来のカセットドア構造は、例えば、図３に示すように、ハウジング（図示略）に取り付けた状態で、ドア本体１０の一方側の軸部１１に巻設されたスプリング１２でドア本体１０を閉まる方向に押さえるようにして、ドア本体１０を無負荷時に開かないようにしている。
ところが、これにおいては、ドア本体１０を開かないように押さえるためのスプリング１２を必要とするために、部品点数が多くなってコスト高となり、また、このスプリング１２を取り付けるための工場での取付け作業が必要であり、工数が多くなるという問題があった。
【０００３】
また、従来の蓋を備えたカセットデッキとして、例えば、実開昭６１−１３３９４号公報に記載されたものがある。
この従来のカセットデッキは、図４、図５（ａ）（ｂ）に示すように、キャビネット３０に設けたカセット挿入口３４と、このカセット挿入口３４を通して外部とカセット３８の授受を行うホルダ４０と、カセット装填時にはカセット３８を収納したホルダ４０を降下して所定位置に抑止し、カセット取出時にはこのホルダ４０を前記所定位置から引離してカセット挿入口３４の位置に上昇させ、カセット３８を外部に取出し可能とされるホルダ昇降機能４２とを備えたロ−リング方式のカセットデッキにおいて、カセット挿入口３４の裏側に蓋３６を設け、この蓋３６の上端をキャビネット３０に開閉動作自在に取着するとともにこの蓋３６の下端部に係合部材５２の一端を回動自在に装着し、この係合部材５２の蓋３６に対する上方への回動移動が制限されるようにし、この係合部材５２の他端はホルダ４０に収納されたカセット３８に常時係合せしめカセット３８の上下動作に連動して蓋３６の開閉動作を行わせるようにしている。
【０００４】
ところが、これにおいては、蓋３６の下端部に係合部材５２を取り付けているので、部品点数が多くてコスト高となり、また、この係合部材５２を蓋３６に取り付ける取付作業を必要とするので、工数が多くなるという問題があった。
更に、この係合部材５２を図５（ａ）に示すように、垂下した状態とするためには、キャビネット３０内における上下のスペースを大きくとり、しかも、この係合部材５２を図５（ｂ）に示すように、略水平状態とするために、キャビネット３０内における前後のスペースを大きくとるので、キャビネット３０が大型になるという問題があった。
【０００５】
【発明が解決しようとする課題】
本発明は、上記従来の問題を解消し、上記従来のスプリングや係合部材等を必要とせずに部品点数を軽減してコストダウンを図れるとともに、スプリングや係合部材等の取付け作業を必要とせずに工数を軽減でき、簡単な構造にすることができ、ハウジングのカセット挿入口に簡単に取り付けることができ、しかもハウジングのカセット挿入口を確実に閉まった状態とすることができ、且つハウジング内のスペースを大きくとることがないカセットドア構造を提供することができる。
【０００６】
【課題を解決するための手段】
上記目的を達成するために、請求項１に記載の発明は、カセットが出し入れ可能に挿入されるハウジングのカセット挿入口に開閉可能に配設されるドア本体と、このドア本体の上端部に、ハウジング内に向けて突設され、その自重によってドア本体を閉める方向に付勢するリブと、このリブと前記ドア本体を枢支する枢軸部とを備えたカセットドア構造において、前記枢軸部は、枢支箇所から軸方向に対し略垂直方向に若干長く延設されていて、この延設部分の先端に前記リブと前記ドア本体とが取り付けられていることを特徴としている。請求項２に記載の発明は、前記リブの少なくとも１つが略水平向きであることを特徴としている。請求項３に記載の発明は、前記リブは、その長さ寸法が、ドア本体を全開したときに、ハウジングの天板の近傍箇所に位置する長さ寸法であることを特徴としている。
【０００７】
【発明の実施の形態】
以下、本発明に係るカセットドア構造の実施の形態について、図を参照しつつ説明する。
図１は、本発明の実施形態のカセットドア構造のドア本体を示す斜視図、図２は、本発明の実施形態のカセットドア構造を有するカセットデッキの部分断面図であって、（ａ）はドア本体が閉まっている状態を示し、（ｂ）はドア本体が開いた状態を示している。
【０００８】
本実施形態のカセットドア構造は、図１、図２（ａ）（ｂ）に示すように、カセット１が出し入れ可能に挿入されるキャビネットからなるハウジング２のカセット挿入口３にドア本体４が開閉可能に配設されるように構成され、ドア本体４の上端部にハウジング２内に向けて左右２枚の板状のリブ５、５が一体に突設されている。
ドア本体４は、上端部の左右及び中央箇所に設けられた枢軸部６によって、ハウジング２のカセット挿入口３の上端近傍箇所に開閉可能に枢着されている。
【０００９】
また、リブ５、５はドア本体４に対して略水平向きに一体に設けられている。更に、リブ５、５は、図２（ｂ）に示すように、その長さ寸法が、ドア本体４を全開したときに、ハウジング２の天板７の近傍箇所に位置する長さ寸法に形成されている。
【００１０】
本実施形態では、ドア本体４にハウジング２内に向けて略水平向きに左右２枚の板状のリブ５、５が一体に突設されているので、図２（ａ）に示すように、このリブ５、５の自重によって、ドア本体４がハウジング２のカセット挿入口３を閉める方向に付勢されるので、ドア本体４が常に閉まった状態となる。
また、カセット１がカセット挿入口３に挿入されると、図２（ｂ）に示すように、このカセット１に押されてドア本体４が開いて、左右２枚のリブ５、５は略垂直上向きとなる。
【００１１】
そして、このカセット１をカセット挿入口３から抜き出すと、再び図２（ａ）に示す状態となり、ドア本体４は左右２枚のリブ５、５の自重によって、図にて矢印に示すように、カセット挿入口３を閉める方向に付勢されていて、ドア本体４が開くことを阻止している。
尚、上記実施形態では、左右２枚のリブ５、５がドア本体４に一体に設けられたものについて説明したが、このリブ５、５の枚数は、２枚に限定されず、１枚でも３枚以上であってもよい。
【００１２】
【発明の効果】
以上説明したように、請求項１に記載の発明によれば、ドア本体の上端部にハウシング内に向けてリブを突設したので、このリブによってドア本体が閉まる方向に付勢されて、ドア本体でカセット挿入口を確実に閉めることができる。
更に、従来例でのスプリングや係合部材等を必要とせずに部品点数を軽減してコストダウンを図れるとともに、スプリングや係合部材等の取付け作業を必要とせずに工数を軽減できる。しかも、簡単な構造にすることができ、ハウジングのカセット挿入口に簡単に取り付けることができる。またハウジング内のスペースを大きくとることがない。
【００１３】
請求項２に記載の発明によれば、リブの少なくとも１つが略水平向きとなっているので、ドア本体にリブの自重が確実に作用して、ドア本体でカセット挿入口を確実に閉めることができる。
請求項３に記載の発明によれば、リブの長さ寸法が、ドア本体を全開したときに、ハウジングの天板の近傍箇所に位置する長さ寸法であるので、ドア本体を開いたときに、リブがハウジングの天板に当たることがなくて、ドア本体の開閉をスムーズに行うことができ、しかも、ハウジング内に大きなスペースを必要としない。
【図面の簡単な説明】
【図１】本発明の実施形態のカセットドア構造のドア本体を示す斜視図である。
【図２】本発明の実施形態のカセットドア構造を有するカセットデッキの部分断面図であって、（ａ）はドア本体が閉まっている状態を示し、（ｂ）はドア本体が開いた状態を示している。
【図３】従来のカセットドア構造のドア本体を示す斜視図である。
【図４】従来のカセットデッキにおける蓋部の斜視図である。
【図５】図４に示す蓋部を有するカセットデッキの部分断面図であって、（ａ）は蓋部が閉まっている状態を示し、（ｂ）は蓋部が開いた状態を示している。
【符号の説明】
１          カセット
２        ハウジング
３        カセット挿入口
４        ドア本体
５        リブ
７        天板
【図１】
0003551354.tif 000002
【図２】
0003551354.tif 000003
【図３】
0003551354.tif 000004
【図４】
0003551354.tif 000005
【図５】
0003551354.tif 000006